(57)【特許請求の範囲】
【請求項１】
天板の後部の下面に、幕板の上端を水平方向の軸により枢着し、前記天板が水平の使用位置にある際は、前記幕板を天板下面から垂下させ、前記天板が折り畳まれる際には、前記幕板が、その下端が脚杆に当接して、この脚杆に沿う位置を占めるようにし、かつ前記幕板を、その上端を枢着した前記水平方向の軸を中心として、前記脚杆に向けて回動させる方向に付勢する弾性付勢手段を設けたことを特徴とする幕板付き折り畳みテーブル。
【請求項２】
天板の後部の下面に、幕板の上端を水平方向の軸により枢着し、前記天板が水平の使用位置にある際は、前記幕板を天板下面から垂下させ、前記天板が折り畳まれる際には、前記幕板が、その下端が脚杆に当接して、この脚杆に沿う位置を占めるようにし、かつ前記幕板を天板に枢着する蝶番に、その幕板取付側に一体的に形成され前記天板に当接して前記幕板の回動を止めるストッパ手段を設けたことを特徴とする幕板付き折り畳みテーブル。
【発明の詳細な説明】
【０００１】
【発明の属する技術分野】
本発明は、不使用時の格納に便利な折り畳みテーブル、特に幕板付きのこの種テーブルに関する。
【０００２】
【従来の技術】
幕板付きの折り畳みテーブルは、例えば本願出願人の出願である特開平11-155641号公報に記載されており、公知である。このテーブルでは、幕板の上端は天板の裏面に枢着され、かつその下端は、リンク杆を介して脚に枢着されており、天板を水平状態にした使用時には、幕板は天板から直角に垂下し、天板をほぼ垂直状態とした格納時には、脚体に沿う位置に変えられる。
【０００３】
【発明が解決しようとする課題】
上述の折り畳みテーブルにおける幕板取付構造は、その目的を達成するのに充分なものであるが、リンク杆等の付加的な部品を必要とし、コスト高となる。
【０００４】
本発明は、上述の問題に鑑み、折り畳みテーブルにおける幕板を、最小限の部品点数からなる簡単な構造でありながら、作動確実なものとすることを目的としている。
【０００５】
【課題を解決するための手段】
本発明によると、上記課題は、次のようにして解決される。
（１）天板の後部の下面に、幕板の上端を水平方向の軸により枢着し、前記天板が水平の使用位置にある際は、前記幕板を天板下面から垂下させ、前記天板が折り畳まれる際には、前記幕板が、その下端が脚杆に当接して、この脚杆に沿う位置を占めるようにし、かつ前記幕板を、その上端を枢着した前記水平方向の軸を中心として、前記脚杆に向けて回動させる方向に付勢する弾性付勢手段を設ける。
【０００６】
（２）天板の後部の下面に、幕板の上端を水平方向の軸により枢着し、前記天板が水平の使用位置にある際は、前記幕板を天板下面から垂下させ、前記天板が折り畳まれる際には、前記幕板が、その下端が脚杆に当接して、この脚杆に沿う位置を占めるようにし、かつ前記幕板を天板に枢着する蝶番に、その幕板取付側に一体的に形成され前記天板に当接して前記幕板の回動を止めるストッパ手段を設ける。
【０００７】
【発明の実施の形態】
図１に示すように、本発明の折り畳みテーブル(Ａ)は、キャスター付きの脚体(１)に天板(２)を、図示の水平位置からほぼ垂直位置（図５参照）まで回動可能に取り付けてなるものである。
【０００８】
脚体(１)は、左右の前部脚杆(1a)と後部脚杆(1b)とを、連結杆(３)により連結してなり、上部に、天板(２)の下面の左右両側部を前後部脚杆(1a)(1b)の上端に枢着するための、例えば、本願出願人の出願になる前記特開平11−155641号公報に開示されているような公知の天板取付兼回動機構（図示省略）を備えている。
【０００９】
天板(２)の下面の後側には、後部脚杆(1b)から後方に離間した位置において、幕板(４)が左右２箇所で軸着されている。この軸着は、図２に拡大して示す蝶番(５)によりなされている。
【００１０】
蝶番(５)は、水平軸(６)により枢着された水平の天板側取付片(７)と、垂直の幕板側取付片(８)とを有し、両取付片(７)(８)は、水平軸(６)の周りに巻回されたコイルばね(９)により、互いに近接する方向に付勢されている。
なお天板側取付片(７)は、水平面部(7a)とその一端から斜め下方に向う傾斜面部(7b)とよりなり、この傾斜面部(7b)の下端と前記の幕板側取付片(８)の上端とが、水平軸(６)により枢動可能に連結されている。
【００１１】
蝶番(５)の幕板側取付片(８)の一側端には、突出片(10)が連設され、その側端には、前方に直角に曲げられて斜め上方に延びる側片(10a)が設けられ、かつ側片(10a)の前端には、内方に直角に曲げられて、幕板側取付片(８)と直角をなす天板当接片(10b)が設けられている。この当接片(10b)には丸孔(11)を穿設し、この丸孔(11)に、比較的軟質の合成樹脂材料製の当接部材(12)をはめ込んである。
【００１２】
この蝶番(５)を、その天板側取付片(７)の水平面部(7a)を、天板(２)の下面後側にねじ(13)により取り付け、幕板側取付片(８)を、幕板(４)の上部にねじ(14)により取り付ける。
【００１３】
このようにして幕板(４)を取り付けた状態を、図３及び図４に示してある。幕板(４)は、天板(２)の下面に蝶番(５)により軸着された上端から真っ直ぐに垂下した位置にある。
この状態において、蝶番(５)の天板当接面(10a)の当接部材(12)は、天板(２)の下面に当接しており、コイルばね(９)は、幕板側取り付け片(８)及びその突出片(10)を、この状態に向かって付勢している。
【００１４】
蝶番(５)の当接部材(12)は、天板(２)の下面に当接することによって、幕板(４)を天板(２)に対して、ほぼ直角に保持し、それ以上、天板(２)の下面内側に回動しないようにストッパーの作用をなしている。
【００１５】
公知の操作レバー(15)により天板取付兼回動機構のロックを外して、天板２を図５に示すほぼ垂直位置まで回動させる際、幕板(４)の下端は、後部脚杆(1b)に当接し、後部脚杆(1b)の上を滑って下方に移動する。この時、幕板(４)の下端は、蝶番(５)のコイルばね(９)の力に逆らって、自然に垂下姿勢から後部脚杆(1b)に沿う位置まで回動させられる。
【００１６】
また、この状態において、蝶番(５)の天板側取付片(７)の水平面部(7a)と幕板側取付片(８)とは、前後にほぼ平行の位置関係になるが、これら両者間の間隔幅を、天板取付片(７)の傾斜面部(7b)の傾斜角等を適宜に設計して幕板(４)の板厚より大きくすることによって、幕板(４)を、その一端を前記水平面部(7a)に取り付けた天板(２)の下面に隣接させた状態で脚杆(1b)に沿わせた位置まで回動させることができる。
【００１７】
図５に示すように天板(２)及び幕板(４)を折り畳んだテーブルは、図６に示すようにネスティング格納、すなわち前後方向に重ねて格納することができる。
【００１８】
【発明の効果】
請求項１記載の発明によれば、折り畳みテーブルにおける幕板を、最小限の部品点数で構造簡単でありながら、作動確実に設けることができる。
また、多少テーブルを揺らせても、幕板ががたつき、音を生じるようなことがない。
【００１９】
請求項２記載の発明によれば、折り畳みテーブルにおける幕板を、最小限の部品点数で構造簡単でありながら、作動確実に設けることができるだけでなく、幕板のがたつきをなくすことができる。
【図面の簡単な説明】
【図１】  本発明幕板付き折り畳みテーブルを、幕板を分解した状態で示す斜視図である。
【図２】  図１に示す幕板取付用の蝶番の拡大斜視図である。
【図３】  本発明幕板付き折り畳みテーブルを、使用状態において示す側面図である。
【図４】  同じく、背面図である。
【図５】本発明幕板付き折り畳みテーブルを、折り畳み状態において示す側面図である。
【図６】  同じく、ネスティング状態において示す側面図である。
【符号の説明】
(１)脚体
(1a)前部脚杆
(1b)後部脚杆
(２)天板
(３)連結杆
(４)幕板
(５)蝶番
(６)水平軸
(７)天板側取付片
(7a)水平面部
(7b)傾斜面部
(８)幕板側取付片
(９)コイルばね（弾性付勢手段）
(10)突出片
(10a)側片
(10b)天板当接片（ストッパ手段）
(11)丸孔
(12)当接部材
(13)(14)ねじ
(15)操作レバー
【図１】
0004448215.tif 000002
【図２】
0004448215.tif 000003
【図３】
0004448215.tif 000004
【図４】
0004448215.tif 000005
【図５】
0004448215.tif 000006
【図６】
0004448215.tif 000007